(57)【要約】【課題】高い使用感を備え、体液の漏れ出しや染み出しを防ぐことのできる立体ギャザーを有する吸収性物品を提供することを目的とする。【解決手段】人体に当接する面に位置する透液性のトップシート２と、トップシート２と反対側の面に位置する不透液性のバックシート３と、トップシート２とバックシート３との間に介装される吸収体４と、を備える吸収パッド１において、バックシート３が吸収体４の長手両側縁部に略沿ってトップシート２側に折り返された折り返し部３２と、この折り返し部３２に少なくとも一部が貼り付けられた不織布とで、立体ギャザー６が形成され、立体ギャザー６の自由端６２は、不織布により構成した。【選択図】図２
2006116348.tif 000002
【特許請求の範囲】
【請求項１】
人体に当接する面に位置する透液性のトップシートと、前記トップシートと反対側の面に位置する不透液性のバックシートと、前記トップシートと前記バックシートとの間に介装される吸収体と、を備える吸収性物品において、
前記バックシートが前記吸収体の長手両側縁部に略沿って前記トップシート側に折り返された折り返し部と、この折り返し部に少なくとも一部が貼り付けられた不織布とで、立体ギャザーが形成され、
前記立体ギャザーの自由端は、前記不織布により構成されていることを特徴とする吸収性物品。
【請求項２】
前記不織布は、前記折り返し部の前記トップシートに対向する面と反対側の面に貼り付けられていることを特徴とする請求項１に記載の吸収性物品。
【請求項３】
前記不織布は、前記折り返し部の折り返し起点部よりも幅方向内側を接着起点部として、前記バックシートに貼り付けられていることを特徴とする請求項２に記載の吸収性物品。
【請求項４】
前記不織布は、前記折り返し部の前記トップシートに対向する面に貼り付けられていることを特徴とする請求項１に記載の吸収性物品。
【請求項５】
前記不織布は、前記トップシートに貼り付けられていることを特徴とする請求項１に記載の吸収性物品。
【請求項６】
人体に当接する面に位置する透液性のトップシートと、前記トップシートと反対側の面に位置する不透液性のバックシートと、前記トップシートと前記バックシートとの間に介装される吸収体と、を備える吸収性物品において、
前記吸収体の長手両側縁部に略沿って前記トップシート側に折り返されたバックシートの折り返し部の両面を、前記トップシートが延出して包み込んで覆うことによって立体ギャザーが形成されていることを特徴とする吸収性物品。
【請求項７】
前記トップシートの前記吸収体の上面に位置する領域は透液性を有し、前記バックシートを覆う領域は当該吸収体の上面に位置する領域よりも液が透過しにくくなっていることを特徴とする請求項６に記載の吸収性物品。
【請求項８】
人体に当接する面に位置する透液性のトップシートと、前記トップシートと反対側の面に位置する不透液性のバックシートと、前記トップシートと前記バックシートとの間に介装される吸収体と、を備えるインナー吸収性物品において、
前記バックシートが前記吸収体の長手両側縁部に略沿って前記トップシート側に折り返された折り返し部と、前記折り返し部の前記トップシートに対向する面と反対側の面に貼り付けられ、且つ、前記折り返し部の折り返し起点部よりも幅方向内側を接着起点部として前記バックシートに貼り付けられた不織布とで、立体ギャザーが形成され、
前記立体ギャザーの自由端は、前記不織布により構成されていることを特徴とするインナー吸収性物品。
【請求項９】
人体に当接する面に位置する透液性のトップシートと、前記トップシートと反対側の面に位置する不透液性のバックシートと、前記トップシートと前記バックシートとの間に介装される吸収体と、を備えるインナー吸収性物品において、
前記バックシートが前記吸収体の長手両側縁部に略沿って前記トップシート側に折り返された折り返し部と、長手方向の一端部が前記折り返し部の前記トップシートに対向する
面に貼り付けられ、且つ、長手方向の他端部が前記トップシートに貼り付けられた不織布とで、立体ギャザーが形成され、
前記立体ギャザーの自由端は、前記不織布により構成されていることを特徴とするインナー吸収性物品。
【請求項１０】
前記不織布が折り返されており、前記立体ギャザーの自由端は、前記不織布の折り返し起点部になっていることを特徴とする請求項９に記載のインナー吸収性物品。
【請求項１１】
人体に当接する面に位置する透液性のトップシートと、前記トップシートと反対側の面に位置する不透液性のバックシートと、前記トップシートと前記バックシートとの間に介装される吸収体と、を備えるインナー吸収性物品において、
前記吸収体の長手両側縁部に略沿って前記トップシート側に折り返されたバックシートの折り返し部の両面を、前記トップシートが延出して包み込んで覆うことによって立体ギャザーが形成されていることを特徴とするインナー吸収性物品。
【請求項１２】
前記バックシートの折り返し部には、長手方向の位置合わせ用目印が形成されていることを特徴とする請求項８〜１１の何れか一項に記載のインナー吸収性物品。
【請求項１３】
前記吸収体の長手両側縁部の、前記長手方向に沿って前記トップシートと前記バックシートとの間に空間部が設けられていることを特徴とする請求項８〜１２の何れか一項に記載のインナー吸収性物品。
【発明の詳細な説明】
【技術分野】
【０００１】
本発明は、吸収性物品及びインナー吸収性物品に関する。
【背景技術】
【０００２】
従来、おむつやおむつの外装体等に貼りつけて、おむつとして供される吸収性パッドにおいては、吸収体が吸収した体液の漏れ出し、染み出しを防ぐために、立体ギャザーを設けたものが知られている。立体ギャザーを構成する方法として例えば、バックシートをトップシート側に延出させて、折り返すことによって構成する方法（例えば、特許文献１）や、トップシートの上面に、ギャザーシートとして、別体の液が透過しにくい不織布（撥水又は防水処理された不織布）などを貼り付けて構成する方法（例えば、特許文献２）等が知られている。
【特許文献１】特開昭５９−２５７４１号公報
【特許文献２】特開２００３−２６５５２１号公報
【発明の開示】
【発明が解決しようとする課題】
【０００３】
しかしながら、上記特許文献１に記載された吸収性パッドの場合、バックシートがトップシート側に延出し、折り返されることによって立体ギャザーが構成されるため、装着時に立体ギャザーが人体に接すると、バックシートが直接に人体に接することとなる。バックシートは、耐久性や液不透過性をある程度確保しなければならないという理由から、厚手のものだったり、フィルム状の素材からなる場合が多く、肌触りが悪くチクチクとした使用感を与えるのみならず、肌トラブルも引き起こしてしまうという問題があった。
一方、特許文献２に記載された吸収パッドの場合、トップシートの上面に別体の液が透過しにくい不織布（撥水又は防水処理された不織布）などを貼り付けて立体ギャザーを形成しているため、人体に立体ギャザーが接しても、チクチクとした使用感を与えることはなく、使用感を損なうことはなかったが、トップシート上面の貼り付け箇所からの体液の漏れ出しや染み出しを完全に防ぐことが出来ず、使用者に対して不安感や、漏れ出し、染み出し時の不快感を与えてしまうという問題があった。
【０００４】
そこで、本発明の課題は、高い使用感を備え、体液の漏れ出しや染み出しを防ぐことのできる立体ギャザーを有する吸収性物品及びインナー吸収性物品を提供することである。
【課題を解決するための手段】
【０００５】
前述した課題を解決するために、請求項１に係る発明は、人体に当接する面に位置する透液性のトップシートと、前記トップシートと反対側の面に位置する不透液性のバックシートと、前記トップシートと前記バックシートとの間に介装される吸収体と、を備える吸収性物品において、前記バックシートが前記吸収体の長手両側縁部に略沿って前記トップシート側に折り返された折り返し部と、この折り返し部に少なくとも一部が貼り付けられた不織布とで、立体ギャザーが形成され、前記立体ギャザーの自由端は、前記不織布により構成されていることを特徴とする。
【０００６】
請求項２に係る発明は、請求項１に記載の吸収性物品において、前記不織布は、前記折り返し部の前記トップシートに対向する面と反対側の面に貼り付けられていることを特徴とする。
【０００７】
請求項３に係る発明は、請求項２に記載の吸収性物品において、前記不織布は、前記折り返し部の折り返し起点部よりも幅方向内側を接着起点部として、前記バックシートに貼
り付けられていることを特徴とする。
【０００８】
請求項４に係る発明は、請求項１に記載の吸収性物品において、前記不織布は、前記折り返し部の前記トップシートに対向する面に貼り付けられていることを特徴とする。
【０００９】
請求項５に係る発明は、請求項１に記載の吸収性物品において、前記不織布は、前記トップシートに貼り付けられていることを特徴とする。
【００１０】
請求項６に係る発明は、人体に当接する面に位置する透液性のトップシートと、前記トップシートと反対側の面に位置する不透液性のバックシートと、前記トップシートと前記バックシートとの間に介装される吸収体と、を備える吸収性物品において、前記吸収体の長手両側縁部に略沿って前記トップシート側に折り返されたバックシートの折り返し部の両面を、前記トップシートが延出して包み込んで覆うことによって立体ギャザーが形成されていることを特徴とする。
【００１１】
請求項７に係る発明は、請求項６に記載の吸収性物品において、前記トップシートの前記吸収体の上面に位置する領域は透液性を有し、前記バックシートを覆う領域は当該吸収体の上面に位置する領域よりも液が透過しにくくなっていることを特徴とする。
【００１２】
請求項８に係る発明は、人体に当接する面に位置する透液性のトップシートと、前記トップシートと反対側の面に位置する不透液性のバックシートと、前記トップシートと前記バックシートとの間に介装される吸収体と、を備えるインナー吸収性物品において、前記バックシートが前記吸収体の長手両側縁部に略沿って前記トップシート側に折り返された折り返し部と、前記折り返し部の前記トップシートに対向する面と反対側の面に貼り付けられ、且つ、前記折り返し部の折り返し起点部よりも幅方向内側を接着起点部として前記バックシートに貼り付けられた不織布とで、立体ギャザーが形成され、前記立体ギャザーの自由端は、前記不織布により構成されていることを特徴とするインナー吸収性物品。
【００１３】
ここで、「インナー吸収性物品」とは、使用時に、おむつの外装体等のアウターに取り付けて供するタイプの吸収性物品を意味する。
【００１４】
請求項９に係る発明は、人体に当接する面に位置する透液性のトップシートと、前記トップシートと反対側の面に位置する不透液性のバックシートと、前記トップシートと前記バックシートとの間に介装される吸収体と、を備えるインナー吸収性物品において、前記バックシートが前記吸収体の長手両側縁部に略沿って前記トップシート側に折り返された折り返し部と、長手方向の一端部が前記折り返し部の前記トップシートに対向する面に貼り付けられ、且つ、長手方向の他端部が前記トップシートに貼り付けられた不織布とで、立体ギャザーが形成され、前記立体ギャザーの自由端は、前記不織布により構成されていることを特徴とする。
【００１５】
請求項１０に係る発明は、請求項９に記載のインナー吸収性物品において、前記不織布が折り返されており、前記立体ギャザーの自由端は、前記不織布の折り返し起点部になっていることを特徴とする。
【００１６】
請求項１１に係る発明は、人体に当接する面に位置する透液性のトップシートと、前記トップシートと反対側の面に位置する不透液性のバックシートと、前記トップシートと前記バックシートとの間に介装される吸収体と、を備えるインナー吸収性物品において、前記吸収体の長手両側縁部に略沿って前記トップシート側に折り返されたバックシートの折り返し部の両面を、前記トップシートが延出して包み込んで覆うことによって立体ギャザーが形成されていることを特徴とする。
【００１７】
請求項１２に係る発明は、請求項８〜１１の何れか一項に記載のインナー吸収性物品において、前記バックシートの折り返し部には、長手方向の位置合わせ用目印が形成されていることを特徴とする。
【００１８】
請求項１３に係る発明は、請求項８〜１２の何れか一項に記載のインナー吸収性物品において、前記吸収体の長手両側縁部の、前記長手方向に沿って前記トップシートと前記バックシートとの間に空間部が設けられていることを特徴とする。
【発明の効果】
【００１９】
請求項１に記載の発明によれば、トップシート側にバックシートが折り返されていることによって、吸収体底面から側面及び一部上面に亘って、バックシートが吸収体を覆うこととなり、立体ギャザーの根元部分を不透液性シートであるバックシートで立体的に構成することとなるのみならず、立体ギャザーの自由端を不織布で構成することができる。
これにより、使用時にチクチクとした使用感を与えることなく、高い使用感を備え、肌トラブルを防止することができる。
また、吸収性物品に体圧がかかった際に、吸収体から圧し出された体液が、立体ギャザーの根元部分から外部へ漏れ出したり、染み出したりすることを防ぐことができる。
また、立体ギャザーが、バックシートと不織布の二層から成ることによって、より確実に体液の漏れ出し、染み出しを防ぐことができる。
【００２０】
さらに、立体ギャザーの根元部分である立ち上がり部が、折り返されたバックシートによって連続的に構成されることによって、吸収体上面において、立ち上がり部を構成するための接着領域などを設ける必要がなくなる。
これにより、吸収体上面に充分な面積を確保できることとなり、体液が吸収体上面にもたらされた時に、その吸収がスムーズに行われ、体液の漏れ出しを防ぐことができる。
【００２１】
そして、包装体の上面に被包装体を載置して、被包装体の底面及び側面を包装体で覆い、被包装体上面に延出した包装体の両側部を被包装体側に折り返して固定、もしくは自由にする方法（以下、額巻きと称す。）で吸収体を包み込んでいるために、サイドフラップを構成する必要がなくなる。これにより、吸収性物品が長手方向に縮まり込むことがなくなり、使用時にスムーズにおむつやおむつの外装体に吸収性物品を取り付けることができる。
【００２２】
請求項２に記載の発明によれば、折り返されたバックシートの折り返し部における、トップシートに対向する面と反対側の面である肌当接面に不織布を貼り付けたことになるため、折り返し部が人体に接触することがなくなる。
これにより、請求項１に記載の発明と同様の効果が得られるのは無論のこと、特に、装着時に肌に与える刺激を抑えることが可能となり、より使用感を向上させるのみならず、肌のトラブルを低減することができる。
【００２３】
請求項３に記載の発明によれば、請求項２に記載の発明と同様の効果が得られるのは無論のこと、特に、不織布は、折り返し部の折り返し起点部よりも幅方向内側を接着起点部として、バックシートに貼り合わされているため、吸収体側面までも不織布によって覆われることとなり、より確実に使用感を向上させるのみならず、肌のトラブルを低減することができる。
【００２４】
請求項４に記載の発明によれば、請求項１に記載の発明と同様の効果が得られるのは無論のこと、特に、バックシートにクロスライクさが得られることにより、バックシートを肌当接面としても使用者に対して柔らかい使用感を期待させることができる。
【００２５】
請求項５に記載の発明によれば、請求項１に記載の発明と同様の効果が得られるのは無論のこと、不織布が、バックシートとトップシートの両方に貼り付けられているため、より確実に不織布を吸収性物品に固定することができ、立体ギャザーが補強されて漏れを防止する効果が高い。
また、立体ギャザーが、バックシートと不織布の少なくとも二層から成ることによって、より確実に体液の漏れ出し、染み出しを防ぐことができる。
【００２６】
請求項６に記載の発明によれば、立体ギャザーが、バックシートと、該バックシートの折り返し部の両面を包み込んで覆うトップシートから形成されることとなる。
これにより、吸収性物品に体圧がかかった際に、吸収体から圧し出された体液が立体ギャザーの根元部分から外部へ染み出すことを防ぐことができる。
また、折り返されたバックシートの折り返し部をトップシートで包み込んで覆うことによって、折り返し部が人体に接触することがなくなる。
これにより、装着時に肌に与える刺激を抑えることが可能となり、使用感を向上させるのみならず、肌のトラブルを低減することができる。
また、立体ギャザーにクロスライクさを備えることとなり、使用者に対して柔らかい使用感を期待させることができる。
【００２７】
請求項７に記載の発明によれば、請求項６に記載の発明と同様の効果が得られるのは無論のこと、特に、立体ギャザーが、不透液性のバックシートと、トップシートの吸収体の上面に位置する領域よりも液を透過しにくい領域と、から成ることとなり、より確実に体液の染み出しを防ぐことができる。
また、立体ギャザーにクロスライクさを備えることとなり、使用者に対して柔らかい使用感を期待させることができる。
【００２８】
請求項８に記載の発明によれば、トップシート側にバックシートが折り返されていることによって、吸収体底面から側面及び一部上面に亘って、バックシートが吸収体を覆うこととなり、立体ギャザーの根元部分を不透液性シートであるバックシートで立体的に構成することとなるのみならず、立体ギャザーの自由端を不織布で構成することができる。
これにより、使用時にチクチクとした使用感を与えることなく、高い使用感を備え、肌トラブルを防止することができる。
また、インナー吸収性物品に体圧がかかった際に、吸収体から圧し出された体液が、立体ギャザーの根元部分から外部へ漏れ出したり、染み出したりすることを防ぐことができる。
また、立体ギャザーが、バックシートと不織布の二層から成ることによって、より確実に体液の漏れ出し、染み出しを防ぐことができる。
【００２９】
さらに、立体ギャザーの根元部分である立ち上がり部が、折り返されたバックシートによって連続的に構成されることによって、吸収体上面において、立ち上がり部を構成するための接着領域などを設ける必要がなくなる。
これにより、吸収体上面に充分な面積を確保できることとなり、体液が吸収体上面にもたらされた時に、その吸収がスムーズに行われ、体液の漏れ出しを防ぐことができる。
【００３０】
そして、包装体の上面に被包装体を載置して、被包装体の底面及び側面を包装体で覆い、被包装体上面に延出した包装体の両側部を被包装体側に折り返して固定、もしくは自由にする方法（以下、額巻きと称す。）で吸収体を包み込んでいるために、サイドフラップを構成する必要がなくなる。これにより、インナー吸収性物品が長手方向に縮まり込むことがなくなり、使用時にスムーズにおむつやおむつの外装体にインナー吸収性物品を取り付けることができる。
【００３１】
請求項９に記載の発明によれば、不織布が、バックシートとトップシートの両方に貼り付けられているため、より確実に不織布を吸収性物品に固定することができ、立体ギャザーが補強されて漏れを防止する効果が高い。
また、立体ギャザーが、バックシートと不織布の少なくとも二層から成ることによって、より確実に体液の漏れ出し、染み出しを防ぐことができる。
さらに、吸収性物品に体圧がかかった際に、吸収体から圧し出された体液が、立体ギャザーの根元部分から外部へ漏れ出したり、染み出したりすることを防ぐことができる。
また、立体ギャザーの自由端が不織布で構成されるので、使用時にチクチクとした使用感を与えることなく、高い使用感を備え、肌トラブルを防止することができる。
また、立体ギャザーにクロスライクさを備えることとなり、使用者に対して柔らかい使用感を期待させることができる。
【００３２】
請求項１０に記載の発明によれば、請求項９に記載の発明と同様の効果が得られるのは無論のこと、立体ギャザーの自由端が、不織布の折り返し起点部から形成されるので、装着時に肌に与える刺激をより抑えることが可能となり、使用感を向上させるのみならず、肌のトラブルをより低減することができる。
【００３３】
請求項１１に記載の発明によれば、立体ギャザーが、バックシートと、該バックシートの折り返し部の両面を包み込んで覆うトップシートから形成されることとなる。
これにより、インナー吸収性物品に体圧がかかった際に、吸収体から圧し出された体液が立体ギャザーの根元部分から外部へ染み出すことを防ぐことができる。
また、折り返されたバックシートの折り返し部をトップシートで包み込んで覆うことによって、折り返し部が人体に接触することがなくなる。
これにより、装着時に肌に与える刺激を抑えることが可能となり、使用感を向上させるのみならず、肌のトラブルを低減することができる。
また、立体ギャザーにクロスライクさを備えることとなり、使用者に対して柔らかい使用感を期待させることができる。
【００３４】
請求項１２に記載の発明によれば、請求項８〜１１の何れか一項に記載の発明と同様の効果が得られるのは無論のこと、バックシートの折り返し部に、インナー吸収性物品が取り付けられるおむつやおむつの外装体に設けられた長手方向の位置合わせ用目印に対応する長手方向の位置合わせ用目印が形成されることとなる。
これにより、おむつやおむつの外装体の長手方向の適正な位置に、インナー吸収性物品を迅速且つ確実に装着することができる。したがって、インナー吸収性物品の交換時の手間を軽減することができることとなるのみならず、装着時のズレを防止することができ、体液の漏れを確実に防止することができる。
【００３５】
請求項１３に記載の発明によれば、請求項８〜１２の何れか一項に記載の発明と同様の効果が得られることは無論のこと、吸収体の長手方向の両側部に沿って、トップシートとバックシートとの間に空間部が設けられることとなる。
これにより、吸収体から溢れた体液が、空間部を拡散することができ、体液が外部へ染み出すことを防ぐことができることとなるのみならず、消臭効果を高めることができる。
【発明を実施するための最良の形態】
【００３６】
（実施形態１）
以下、本発明の実施形態１を、図面を参照しながら詳細に説明する。
本実施形態においては、吸収性物品としての吸収パッドを一例として説明する。
図１は、本願発明の吸収パッドを適用した実施形態１の吸収パッドの斜視図である。図２は、図１のＡ−Ａ´線における断面図である。
【００３７】
図１、２に示すように、吸収パッド１は、人体と接する接触面に配される透液性のトップシート２と、トップシート２と反対側の面に位置して使用装着時に外部側に設けられる不透液性のバックシート３と、トップシート２とバックシート３との間に介装される吸収体４等と、により構成されている。
【００３８】
トップシート２は、透液性を有する不織布で、吸収体４の表面側（肌当接面側）を覆う形状に形成されている。
トップシート２を形成する不織布の素材としてとしては、天然繊維、合成繊維のいずれを用いてもよい。天然繊維の例としては、綿、セルロース（木材パルプ）、羊毛、絹等が挙げられる。また合成繊維としては、ポリプロピレン（PP）、ポリエチレン（PE）、ナイロン、ポリエステル（PET）、アクリル等が挙げられ、またPE/PP混合不織布、PE/PET混合不織布、また、上記素材を適宜組み合わせたバイコンポーネント繊維（混合繊維）も用いることができる。
【００３９】
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造してもよい。
【００４０】
バックシート３は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
また、バックシート３の下着当接面には粘着剤層（図示略）が形成されており、使用時に、吸収パッド１がおむつやおむつの外装体からズレないように固定できるようになっている。
【００４１】
バックシート３は、吸収体４底面を覆い、さらに吸収体４の側面を覆って、吸収体４上面の長手両側縁部において、折り返し起点部３１を起点としてトップシート２側に折り返され、折り返し部３２を形成する。
バックシート３とトップシート２は、折り返し起点部３１近傍でホットメルト接着剤等により互いに接着されている。
【００４２】
バックシート３の折り返し部３２、３２のトップシート２と対向する面と反対側の面には、所与の色に着色された領域、すなわち、着色領域Ｃ、Ｃが設けられている。具体的には、例えば、図１に示すように、折り返し部３２の折り返し起点部３１から折り返し部３２の幅方向内側の所定位置にある着色端部Ｃ１に亘って着色領域Ｃが設けられている。さらに、着色領域Ｃの長手方向内側の所定位置に、着色端部Ｃ１から折り返し起点部３１に向かって略Ｖ字状の着色の切欠部Ｃ２が形成されている。そして、折り返し部３２における着色領域Ｃ、着色端部Ｃ１及び着色の切欠部Ｃ２は、吸収パッド１の肌当接面側から視認できるようになっている。着色端部Ｃ１は、吸収パッド１の装着対象であるおむつやおむつの外装体（図示略）に設けられた幅方向の位置合わせ用目印に対応する幅方向の位置合わせ用目印となる。したがって、着色端部Ｃ１の位置は、おむつやおむつの外装体（図示略）に設けられた幅方向の位置合わせ用目印に合うよう設定される。着色の切欠部Ｃ２は、吸収パッド１の装着対象であるおむつやおむつの外装体（図示略）に設けられた長手方向の位置合わせ用目印に対応する長手方向の位置合わせ用目印となる。したがって、着色の切欠部Ｃ２の位置や個数は、おむつやおむつの外装体（図示略）に設けられた位置合わせ用目印に合うよう設定される。なお、着色の切欠部Ｃ２の形状は、特に制限はない。
さらに、長手方向の位置合わせ用目印は、着色の切欠部Ｃ２に限定されるものではなく、印刷や、他の部材の貼り付けなどによって設けられるようにしても良い。
【００４３】
吸収体４は、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）により覆われて構成されている。尚、吸収体コアは、単層構造であっても良いし、複数層に分かれた構造でも構わない。
【００４４】
次いで、立体ギャザー６、６について説明する。立体ギャザー６は、バックシート３の折り返し部３２に不織布であるギャザーシート５を貼り付けることによって形成される。詳細には、立体ギャザー６は、図２に示すように、折り返し部３２のトップシート２に対向する面と反対の面に、折り返し起点部３１から折り返し部３２の端部に亘って貼り付けられることによって形成される。
また、立体ギャザー６には、弾性部材６３が長手方向に亘って配され、長手方向に伸縮自在に形成される。
【００４５】
立体ギャザー６の立ち上がり部６１は、バックシート３の折り返し起点部３１に等しく、さらに、ギャザーシート５の接着起点部５１に等しい。従って、立体ギャザー６の根元部分である立ち上がり部６１の近傍は、バックシート３とギャザーシート５の二層によって形成される。
一方、ギャザーシート５は、折り返し部３２よりも延出してなるため、立体ギャザー６の自由端６２近傍はギャザーシート５一層のみからなる。
つまり、立体ギャザー６の根元部分である立ち上がり部６１は、バックシート３とギャザーシート５によって構成され、使用時に肌と接し、特に肌とこすれる部分である、立体ギャザー６の自由端６２近傍は、ギャザーシート５のみで構成される。
【００４６】
さらに、図１に示すように、立体ギャザー６は、吸収体４の長手両側縁部に略沿って自由端６２を固定することなく配されているが、吸収パッド１の長手方向両端部Ｓ、Ｓでは、立体ギャザー６の自由端６２ごとトップシート２側に折り畳まれ、トップシート２に固定される。
【００４７】
ギャザーシート５は、液が透過しにくい不織布が望まれ、単層不織布又は積層不織布であっても良い。
液が透過しにくい不織布としては、例えば、スパンボンド不織布、スパンボンド不織布−メルトブローン不織布−スパンボンド不織布、スパンボンド不織布−メルトブローン不織布−メルトブローン不織布−スパンボンド不織布、ヒートロール不織布、不透液性不織布、エアースルー不織布等が挙げられる。
【００４８】
またこの時にギャザーシート５とバックシート３を接着する接着剤として、例えば、エチレン酢酸ビニル共重合体樹脂（ＥＶＡ；Ethylene Vinyl Acetate）、ポリビニルアルコール（ＰＶＡ）、アクリルアミド・ポリビニルアルコール共重合体、アクリル酸エステル・酢酸ビニル共重合体、カルボキシメチルセルロースナトリウム、ＳＩＳ、ＳＢＳ、ＳＩＢＳ、ＳＥＰＳ等のスチレン系エラストマー、ポリエステル・アクリル系エラストマー、ポリオレフィン系エラストマーなどを適宜使用することができる。
また接着剤を塗布する方法としては、カーテン法、ビート法、スロット法、スパイラル法など、周知の塗布方法（例えば、スプレー塗布やブレードコートなど）により行うことができる。
【００４９】
以上に説明した実施形態１に係る吸収パッド１によると、立体ギャザー６の自由端６２が不織布で構成されるため、使用時に人体に立体ギャザー６が接しても、チクチクするこ
となく、使用感を向上することができ、肌トラブルを防止することができる。
また、トップシート２側にバックシート３が折り返されていることによって、吸収体４底面から側面及び一部上面に亘って、バックシート３が吸収体４を覆うこととなり、立体ギャザー６の根元部分である立ち上がり部６１を不透液性シートであるバックシート３で立体的に構成することとなる。
これにより、吸収パッド１に体圧がかかった際に、吸収体４から圧し出された体液が立体ギャザー６の根元部分から外部へ染み出すことを防止することができる。
また、立体ギャザー６が、バックシート３と不織布の二層から成ることによって、より確実に体液の染み出しを防ぐことができる。
さらに、立体ギャザー６の根元部分である立ち上がり部６１が、折り返されたバックシート３によって連続的に構成されることとなり、吸収体４上面で、立ち上がり部６１を構成するための接着領域などを設ける必要がなくなり、吸収体４上面に充分な吸水面積を確保できることとなり、体液の吸収がスムーズに行われ、体液の漏れ出しを防ぐことができる。
そして、折り返されたバックシート３の、トップシート２に対向する面と反対側の面である肌当接面に不織布を貼り付けたことによって、折り返されたバックシート３が人体に接触することがなくなり、装着時に肌に与える刺激を抑えることが可能となり、使用感を向上させるのみならず、肌のトラブルを防止することができる。
その上、吸収体４を額巻きと呼ばれる方法で包み込んでいるために、サイドフラップを構成する必要がなくなる。これにより、吸収パッド１が長手方向に縮まり込むことがなくなり、使用時にスムーズにおむつやおむつの外装体に取り付けることができる。
【００５０】
さらに、バックシート３の折り返し部３２に、吸収パッド１が取り付けられるおむつやおむつの外装体（図示略）に設けられた、幅方向の位置合わせ目印に対応する着色領域Ｃ１及び長手方向の位置合わせ用目印に対応する着色の切欠部Ｃ２が形成されるため、おむつやおむつの外装体（図示略）の幅方向及び長手方向の適正な位置に、吸収パッド１を迅速且つ確実に装着することができる。したがって、吸収パッド１の交換時の手間を軽減することができることとなるのみならず、装着時のズレを防止することができ、体液の漏れを確実に防止することができる。
【００５１】
（実施形態２）
次いで、実施形態２に係る吸収パッド１００について、図３を用いて説明する。
図３は、本願発明の実施形態２の吸収パッドの断面図である。
図３に示す吸収体パッド１００は、ギャザーシート１０５が実施形態１の吸収パッド１と異なる。従って、実施形態２を説明するにあたり、上記実施形態１と同様の構成については、同一の符号を付し、説明は省略する。
【００５２】
図３に示すように、吸収パッド１００の立体ギャザー１０６、１０６を形成するギャザーシート１０５は、バックシート３の折り返し部３２を完全に覆って、吸収体４の側面側を覆い、接着起点部１５１は吸収体４の底面側に位置してなるようバックシート３に貼り合わされている。つまり、折り返し部３２の折り返し起点部３１よりも幅方向内側を接着起点部１５１として、貼り合わされているために、実施形態１に比較して、ギャザーシート１０５のバックシート３への貼り付け面積は非常に大きく、充分な面積をもって貼り付けることができる。
【００５３】
以上に説明した実施形態２に係る吸収パッド１００によると、充分な面積をもってギャザーシート１０５とバックシート３を接着することが可能となり、これにより、体液の漏れ出しや染み出しをより効果的に防ぐのみならず、バックシート３が肌に接することを完全に防ぐことができるため、より使用感を向上させるのみならず、肌のトラブルを防止することができる。
【００５４】
（実施形態３）
次いで、実施形態３に係る吸収パッド２００について、図４を用いて説明する。
図４は、本願発明の実施形態３の吸収パッドの断面図である。
図４に示す吸収パッド２００は、トップシート２０２が実施形態１の吸収パッド１と異なる。従って、実施形態３を説明するにあたり、上記実施形態１と同様の構成については、同一の符号を付し、説明を省略する。
【００５５】
図４に示すように、吸収パッド２００の立体ギャザー２０６、２０６は、トップシート２０２及びバックシート３からなる。バックシート３は、吸収体４底面を覆い、さらに吸収体４の側面を覆って、吸収体４上面の長手両側縁部において、折り返し起点部３１を起点としてトップシート２０２側に折り返され、折り返し部３２を形成する。
一方、トップシート２０２側に折り返されたバックシート３の折り返し部３２の両面を、トップシート２０２が延出して包み込んで覆い、折り返し起点部３１を接着起点部２５１とすることによって立体ギャザー２０６を形成する。
つまり、立体ギャザー２０６は、バックシート３及び該シートを両面側から挟み込むトップシート２０２の三層からなる。
【００５６】
この時、トップシート２０２における、吸収体４の上面を覆う領域（即ち、体液吸収領域）は、透液性を有し、立体ギャザー２０６を形成する領域は、体液吸収領域よりも液を透過しにくくなっている。具体的には、トップシート２０２における、立体ギャザー２０６を形成する領域は、撥水処理や防水処理などが施されている。透液性不織布としては、トップシート２の説明で挙げた不織布を用いることができる。
【００５７】
実施形態３に係る吸収パッド２００によると、立体ギャザー２０６が、バックシート３と、該バックシート３の両面を包み込んで覆うトップシート２０２から形成されることとなり、吸収パッド２００に体圧がかかった際に、吸収体４から圧し出された体液が立体ギャザー２０６の根元部分から外部へ染み出すことを防ぐことができる。
また、折り返されたバックシート３をトップシート２０２で包み込んで覆うことによって、折り返されたバックシート３が人体に接触することがなくなり、装着時に肌に与える刺激を抑えることが可能となり、使用感を向上させるのみならず、肌のトラブルを防止することができる。
また、立体ギャザー２０６がクロスライクさを備えることとなり、使用者に対して柔らかい使用感を期待させることができる。
さらに、立体ギャザー２０６が、不透液性のバックシート３と、トップシート２０２の吸収体４の上面に位置する領域よりも液を透過しにくい領域と、から成ることとなり、より確実に体液の染み出しを防ぐことができる。
【００５８】
（実施形態４）
次いで、実施形態４に係る吸収パッド３００について図５を用いて説明する。
図５は、本願発明の実施形態４の吸収パッドの断面図である。
図５に示す吸収パッド３００は、トップシート３０２が実施形態３の吸収パッド２００と異なる。従って、実施形態４を説明するにあたり、上記実施形態３と同様の構成については、同一の符号を付し、説明を省略する。
【００５９】
図５に示すように、吸収パッド３００の立体ギャザー３０６、３０６は、トップシート３０２及びバックシート３からなる。バックシート３は、吸収体４底面を覆い、さらに吸収体４の側面を覆って、吸収体４上面の長手両側縁部において、折り返し起点部３１を起点としてトップシート３０２側に折り返され、折り返し部３２を形成する。
一方、トップシート３０２側に折り返されたバックシート３の折り返し部３２の両面を
、トップシート２０２が延出して包み込んで覆い、さらに吸収体４の側面を覆い、接着起点部３５１を吸収体４の底面を覆うバックシート３上に設けることによって立体ギャザー３０６を形成する。
つまり、立体ギャザー３０６は、バックシート３及び該シートを両面側から挟み込むトップシート３０２の三層からなる。
【００６０】
この時、トップシート３０２における、吸収体４の上面を覆う領域（即ち、体液吸収領域）は、透液性を有し、立体ギャザー３０６を形成する領域は、体液吸収領域よりも液を透過しにくくなっている。具体的には、トップシート２０２における、立体ギャザー２０６を形成する領域は、撥水処理や防水処理などが施されている。透液性不織布としては、トップシート２の例として挙げた不織布を用いることができる。
【００６１】
実施形態４に係る吸収パッド３００によると、立体ギャザー３０６を構成するトップシート３０２とバックシート３との接着領域をより大きく取ることができるため、体液の漏れ出し、染み出しをより効果的に防ぐことができる。
【００６２】
（実施形態５）
次いで、実施形態５に係る吸収パッド４００について、図６を用いて説明する。
図６は、本願発明の実施形態５の吸収パッド４００の断面図である。
図６に示す吸収パッド４００は、トップシート２及びギャザーシート５の形状は、実施形態１と変わらないが、バックシート４０３及び立体ギャザー４０６を形成するにあたっての各シートの配置が異なる。従って、実施形態５を説明するにあたり、上記実施形態１と同様の構成については、同一の符号を付し、説明を省略する。
【００６３】
図６に示すように、吸収パッド４００の立体ギャザー４０６、４０６は、バックシート４０３及びギャザーシート５からなる。本実施形態においては、ギャザーシート５は、折り返し起点部４３１を起点に折り返されたバックシート４０３の折り返し部４３２のトップシート２に対向する側の面に貼り付けられる。詳細には、折り返し起点部４３１から折り返し部４３２に亘って、ギャザーシート５がバックシート４０３に貼り付けられ、立体ギャザー４０６が形成される。
【００６４】
この時、バックシート４０３には、不透液性を有するフィルム層又は、通気性を有する不織布層からなるラミ不織布が用いられる。
ここで、ラミ不織布とは、例えばポリエチレンシート等に不織布を積層したラミネート不織布と呼ばれる不織布のことである。
【００６５】
次いで、吸収パッド４００の製造方法の一例について、図７を用いて説明する。
図７は、吸収パッド４００の製造方法について説明するための説明図である。
図７に示すように、バックシート４０３の上面に吸収体４が載置され、その上面にトップシート２が載置され、さらにトップシート２の上面であって、トップシート２の長手左右縁部より外側に位置するバックシート４０３の上面に、ギャザーシート５が載置される。ここで、トップシート２の短手方向の長さ（幅）は、バックシート４０３の短手方向の長さ（幅）よりも小さいため、バックシート４０３の幅方向両端部、即ち、長手両側縁部では、バックシート４０３と、ギャザーシート５とが直接当接することとなる。
【００６６】
次に、トップシート２の長手両側縁部をギャザーシート５が載置されている方向（上面方向）に折り返す。同時にバックシート４０３とギャザーシート５とが重なった状態のまま、折り返し起点部４３１を起点にトップシート２側に折り返して、折り返し部４３２を形成する。そして、折り返し部４３２を、ギャザーシート５に固定し、立体ギャザー４０６を構成する。
【００６７】
以上に説明した、実施形態５に係る吸収パッド４００によると、バックシート４０３にラミ不織布を用いているので、バックシート４０３がクロスライクさを備えることとなり、使用者に対して柔らかい使用感を期待させることができる。
【００６８】
（実施形態６）
次いで、実施形態６に係る吸収パッド５００について、図８を用いて説明する。
図８は、本願発明の実施形態６の吸収パッド５００の断面図である。
図８に示す吸収パッド５００は、トップシート５０２、バックシート５０３及びギャザーシート５０５の形状、立体ギャザー５０６を形成するにあたっての各シートの配置が、実施形態１と異なる。従って、実施形態６を説明するにあたり、上記実施形態１と同様の構成については、同一の符号を付して、説明を省略する。
【００６９】
図８に示すように、吸収パッド５００の立体ギャザー５０６、５０６は、トップシート５０２、バックシート５０３及びギャザーシート５０５からなる。本実施形態においては、バックシート５０３は、例えば、不透液性を有するフィルム層を備えている。トップシート５０２は、吸収体４の長手両側縁部４ａ、４ａを覆い、トップシート５０２の長手両側縁部５０２ａ、５０２ａは、バックシート５０３に固定されている。また、ギャザーシート５０５は、折り返し起点部５０５ｂを起点に折り返されており、折り返し起点部５０５ｂは、立体ギャザー５０６の自由端５６２を形成している。そして、ギャザーシート５０５のバックシート５０３側に折り返された端部５０５ａ（一端部）を、折り返し起点部５３１を起点に折り返されたバックシート５０３の折り返し部５３２のトップシート５０２に対向する側の面に貼り付け、さらに、ギャザーシート５０５のトップシート５０２側に折り返された端部５０５ｃ（他端部）及びその近傍部を、吸収体４の長手側縁部４ａを覆うトップシート５０２のバックシート５０３の折り返し部５３２に対向する側の面に貼り付けることによって、立体ギャザー５０６を形成する。また、ギャザーシート５０５の折り返し起点部５０５ｂには、弾性部材６３が配されている。
【００７０】
以上に説明した、実施形態６に係る吸収パッド５００によると、ギャザーシート５０５が、バックシート５０３とトップシート５０２の両方に貼り付けられているため、より確実にギャザーシート５０５を吸収パッド５００に固定することができ、立体ギャザー５０６が補強されて漏れを防止する効果が高い。
また、立体ギャザー５０６の根元部分が、バックシート５０３とギャザーシート５０５とトップシート５０２とから成るため、より確実に体液の漏れ出し、染み出しを防ぐことができる。
さらに、吸収パッド５００に体圧がかかった際に、吸収体４から圧し出された体液が、立体ギャザー５０６の根元部分から外部へ漏れ出したり、染み出したりすることを防ぐことができる。
また、立体ギャザー５０６の自由端５６２が、液が透過しにくい不織布の折り返し起点部５０５ｂから形成されるため、装着時に肌に与える刺激を抑えることが可能となり、使用感を向上させるのみならず、肌のトラブルを低減することができる。
また、立体ギャザー５０６にクロスライクさを備えることとなり、使用者に対して柔らかい使用感を期待させることができる。
なお、ギャザーシート５０５に、明確な折り返し起点部５０５ｂを設けなくても良い。
【００７１】
また、吸収パッド５００において、図９に示す吸収パッド５００ａのように、吸収体５０４の幅を、吸収パッド５００の吸収体４と比較して狭くし、吸収体５０４の長手両側縁部の長手方向に沿って、トップシート５０２とバックシート５０３との間に空間部Ｄ、Ｄを設けるようにしてもよい。
これにより、吸収体５０４から溢れた体液が、空間部Ｄ、Ｄを拡散することができ、体
液が外部へ染み出すことを防ぐことができることとなるのみならず、消臭効果を高めることができる。
【図面の簡単な説明】
【００７２】
【図１】本願発明の吸収性物品を適用した実施形態１の吸収パッドの展開図である。
【図２】図１のＡ−Ａ´での断面図である。
【図３】本願発明の吸収性物品を適用した実施形態２の吸収パッドの断面図である。
【図４】本願発明の吸収性物品を適用した実施形態３の吸収パッドの断面図である。
【図５】本願発明の吸収性物品を適用した実施形態４の吸収パッドの断面図である。
【図６】本願発明の吸収性物品を適用した実施形態５の吸収パッドの断面図である。
【図７】図６の吸収パッドの製造方法を説明するための説明図である。
【図８】本願発明の吸収性物品を適用した実施形態６の吸収パッドの断面図である。
【図９】本願発明の吸収性物品を適用した実施形態６の吸収パッドの吸収体の変形例を説明するための断面図である。
【符号の説明】
【００７３】
１、１００、２００、３００、４００、５００、５００ａ  吸収パッド
２、２０２、３０２、５０２  トップシート
３、４０３、５０３  バックシート
４、５０４  吸収体
５、１０５、５０５  ギャザーシート
６、１０６、２０６、３０６、４０６、５０６  立体ギャザー
３１、４３１、５３１  折り返し起点部
３２、４３２、５３２  折り返し部
５１、１５１、２５１、３５１  接着起点部
６１  立ち上がり部
６２、５６２  自由端
Ｃ２  着色の切欠部
Ｄ  空間部
【図１】
2006116348.tif 000003
【図２】
2006116348.tif 000004
【図３】
2006116348.tif 000005
【図４】
2006116348.tif 000006
【図５】
2006116348.tif 000007
【図６】
2006116348.tif 000008
【図７】
2006116348.tif 000009
【図８】
2006116348.tif 000010
【図９】
2006116348.tif 000011